(57)【特許請求の範囲】
【請求項１】
親指の母趾球から指先にかけての第１部位に対応する中底に形成され、親指に作用する履用者の体重負荷を軽減するための凹部と、
前記母趾球の踵側に隣接する第２部位に対応する中底に形成され、当該第２部位を押し付けてその反動により前記第１部位を前記凹部内に下げるための押付部と、
前記親指を除く四指に対応する中底に形成され、当該四指を持ち上げる持上部と、を備え、
前記持上部は、前記四指の各上端を結ぶ直線を略水平にするために、前記四指の人差し指から小指に向かって徐々に高く形成されていることを特徴とする履物。
【請求項２】
前記持上部には、前記四指の中指と薬指との隙間に対応する中底に、当該隙間を広げるための突出部が形成されている請求項１に記載の履物。
【発明の詳細な説明】
【技術分野】
【０００１】
本発明は、外反母趾による足の痛みを軽減するための履物に関する。
【背景技術】
【０００２】
近年、例えばヒールの高い婦人靴など、足に合わない靴を履き続けることにより、外反母趾を発症する人が増加している。外反母趾とは、親指が外反した状態、すなわち親指の指先が小指側に反り、親指の付け根部分が「く」の字状に曲がって足幅方向内側に突出した状態になる症状のことをいう。この外反母趾の症状が進行すると、親指の付け根部分が靴の中底に当たって激痛が生じ、歩行が困難になる場合がある。
【０００３】
従来は、このような外反母趾による足の痛みを緩和するための履物として、親指に対応する中底に凹部を形成したものが知られている（例えば、特許文献１参照）。この履物は、前記凹部により親指に作用する履用者の体重負荷を軽減することができるため、歩行中の足の痛みを緩和することができる。
【先行技術文献】
【特許文献】
【０００４】
【特許文献１】特公平４−２０６０８号公報
【発明の概要】
【発明が解決しようとする課題】
【０００５】
従来の履物にあっては、外反母趾による足の痛みを緩和することはできるが、親指は依然として外反した状態であるため、外反母趾の症状自体を改善することはできない。また、親指の外反部分が靴の側壁部に接触するため、足の痛みを十分に緩和することができない。
本発明は、このような事情に鑑みてなされたものであり、外反母指による足の痛みを十分に緩和しつつ、外反母趾の症状を改善することができる履物を提供することを目的とする。
【課題を解決するための手段】
【０００６】
上記目的を達成するための本発明の履物は、親指の母趾球から指先にかけての第１部位に対応する中底に形成され、親指に作用する履用者の体重負荷を軽減するための凹部と、前記母趾球の踵側に隣接する第２部位に対応する中底に形成され、当該第２部位を押し付けてその反動により前記第１部位を前記凹部内に下げるための押付部と前記親指を除く四指に対応する中底に形成され、当該四指を持ち上げる持上部と、を備え、前記持上部は、前記四指の各上端を結ぶ直線を略水平にするために、前記四指の人差し指から小指に向かって徐々に高く形成されていることを特徴としている。
【０００７】
本発明の履物によれば、親指の母趾球から指先にかけての第１部位に対応する中底に形成された凹部によって、親指に作用する履用者の体重負荷を軽減することができる。また、中底に形成された押付部により、母趾球の踵側に隣接する第２部位を押し付けるとともに、その反動によって前記第１部位が凹部内に下がるため、親指は外反した状態から元の正常な状態に近づくように自然と内反した状態となる。これにより、外反母趾の症状を改善することができるとともに、親指が靴の側壁部に当たるのを抑制することができるため、足の痛みをさらに緩和することができる。
【０００８】
また、親指を除く四指が持上部により持ち上げられることによって、四指の隣接する各指間の隙間を広げることができる。これにより、前述のように親指の第１部位を凹部内に下げた状態であっても、四指によって安定した状態で履用者の体重を支持することができる。
【０００９】
また、持上部により持ち上げられた四指の各上端を結ぶ直線が略水平になるため、四指に対して履用者の体重負荷を略均等に作用させることができる。これにより、四指によってさらに安定した状態で履用者の体重を支持することができる。
【００１０】
また、前記持上部には、前記四指の中指と薬指との隙間に対応する中底に、当該隙間を広げるための突出部が形成されていることが好ましい。
この場合、突出部によって中指と薬指との隙間が広がるため、人差指及び中指からなる二指一組と、薬指及び小指からなる二指一組とによって、それぞれ履用者の体重負荷を受けることができる。これにより、さらに安定した状態で履用者の体重を支持することができる。
【発明の効果】
【００１１】
本発明の履物によれば、親指に作用する履用者の体重負荷を軽減することができるとともに、親指を自然と内反させた状態にすることができるため、外反母指による足の痛みを十分に緩和しつつ、外反母趾の症状を改善することができる。
【図面の簡単な説明】
【００１２】
【図１】本発明の一実施形態に係る履物の中底を示す平面図である。
【図２】図１のＡ−Ａ断面図である。
【図３】図１のＢ−Ｂ断面図である。
【図４】図１のＣ−Ｃ断面図である。
【図５】（ａ）は図１のＤ−Ｄ断面図、（ｂ）は図１のＥ−Ｅ断面図、（ｃ）は図１のＦ−Ｆ断面図である。
【図６】図１のＧ−Ｇ断面図である。
【図７】前記履物を履く前における足の状態を示す図面代用写真である。
【図８】前記履物を履いた足の状態を示す図面代用写真である。
【発明を実施するための形態】
【００１３】
次に、本発明の好ましい実施形態について添付図面を参照しながら説明する。図１は本発明の一実施形態に係る履物の左足側の中底を示す平面図であり、図２は図１のＡ−Ａ断面図である。図１において、本実施形態の履物である靴１の中底３は、足ｆの親指ｆ１に対応する領域に形成された凹部３１と、この凹部３１に隣接して形成された押付部３２と、親指ｆ１を除く四指ｆ２〜ｆ５に対応する領域に形成された持上部３３と、を備えている。ここで、「中底」とは、履物内部の底面に位置するものを意味し、前記底面に敷かれる中敷も含まれる。
【００１４】
凹部３１は、図１の平面視において、親指ｆ１の母趾球ｆ１ａから指先にかけての第１部位に対応する領域に形成されている。凹部３１の足長方向（指先から踵にかけての方向）の断面形状は、図２に示すように、親指ｆ１の腹側の形状に沿って形成されている。より詳しくは、凹部３１のうち、親指ｆ１の母趾球ｆ１ａに対応する部分が最も深く窪んでおり、親指ｆ１の腹部ｆ１ｂから指先に向かうにしたがって、これらに対応する部分が徐々に浅く形成されている。
【００１５】
押付部３２は、図１の平面視において、母趾球ｆ１ａの踵側に隣接する第２部位に対応する領域に形成されており、当該第２部位を押し付けて、その反動により前記第１部位を凹部３１内に下げるようになっている。第２部位への押付力は、足ｆを水平面上に置いたときに、水平面が第２部位を自然と押し付ける力よりも強い力に設定されている。
【００１６】
また、第１部位が下がるのは、押付部３２による押し付けが第２部位と第１部位とを繋ぐ腱（母趾外転筋）に作用することによって、第１部位が自然と下がることを利用したものである。押付部３２の足長方向の長さＬは約１８ｍｍ、足幅方向の長さＷは約５０ｍｍに設定されている。押付部３２の足長方向の断面形状は、図２に示すように、凹部３１から踵側に向かって徐々に高くなる傾斜面として形成されている。
【００１７】
図３は、図１のＢ−Ｂ断面図であり、押付部３２の足幅方向の断面形状は、図３に示すように、外側（図３の左側）から中央部分にかけて略平坦に形成されており、内側（図３の右側）の端部は上方に突出している。
【００１８】
持上部３３は、図１の平面視において、人差し指ｆ２、中指ｆ３、薬指ｆ４及び小指ｆ５の各指先から、これら四指ｆ２〜ｆ５の付け根部分とその踵側の周辺部分に対応する領域に形成されている。
【００１９】
図４は、図１のＣ−Ｃ断面図である。持上部３３の足長方向の断面形状は、図４に示すように、踵側（図４の左側）から四指ｆ２〜ｆ５の指先（図４の右側）に向かって徐々に高くなる傾斜面として形成されている。これにより、持上部３３は、四指ｆ２〜ｆ５を持ち上げるようになっている。その持上力は、足ｆを水平面上に置いたときに、水平面が四指ｆ２〜ｆ５を自然と押し付ける力よりも強い力に設定されている。
【００２０】
図５の（ａ）は図１のＤ−Ｄ断面図、（ｂ）は図１のＥ−Ｅ断面図、（ｃ）は図１のＦ−Ｆ断面図である。図５（ａ）〜（ｃ）において、持上部３３の足幅方向の断面形状は、凹部３１から連続する傾斜面として形成され、人差し指ｆ２から小指ｆ５に向かって徐々に高く形成されている。持上部３３の傾斜角度は、図５（ａ）に示すように、四指ｆ２〜ｆ５の各背側の上端を結ぶ直線Ｘが略水平となるように設定されている。
【００２１】
図６は、図１のＧ−Ｇ断面図である。持上部３３には、図６に示すように、中指ｆ３と薬指ｆ４との隙間に対応する領域に突出部３３ａが形成されている。この突出部３３ａは、中指ｆ３と薬指ｆ４との隙間を広げるようになっている。
【００２２】
以上のように構成された本実施形態の靴１によれば、親指ｆ１の母趾球ｆ１ａから指先にかけての第１部位に対応する中底３に凹部３１が形成されているため、親指ｆ１に作用する履用者の体重負荷を軽減することができ、足ｆの痛みを緩和することができる。また、中底３に形成された押付部３２により、母趾球ｆ１ａの踵側に隣接する第２部位が押し付けられ、その反動により第１部位が凹部３１内に下がるため、親指ｆ１は外反した状態から元の正常な状態に近づくように自然と内反した状態となる。これにより、外反母趾の症状を改善することができるとともに、親指ｆ１が靴１の側壁部に当たるのを抑制することができるため、足ｆの痛みをさらに緩和することができる。
【００２３】
また、親指ｆ１を除く四指ｆ２〜ｆ５は、持上部３３により持ち上げられるため、四指ｆ２〜ｆ５の隣接する各指間の隙間を広げることができる。これにより、親指ｆ１の第１部位を凹部３１内に下げた状態であっても、四指ｆ２〜ｆ５によって安定した状態で履用者の体重を支持することができる。
【００２４】
また、持上部３３により持ち上げられた四指ｆ２〜ｆ５の各背側の上端を結ぶ直線Ｘが略水平になるため、四指ｆ２〜ｆ５に対して履用者の体重負荷を略均等に作用させることができる。これにより、四指ｆ２〜ｆ５によってさらに安定した状態で履用者の体重を支持することができる。
【００２５】
また、持上部３３に形成された突出部３３ａによって、中指ｆ３と薬指ｆ４との隙間を広げることができるため、人差指ｆ２及び中指ｆ３からなる二指一組と、薬指ｆ４及び小指ｆ５からなる二指一組とによって、それぞれ履用者の体重負荷を受けることができる。これにより、さらに安定した状態で履用者の体重を支持することができる。
【００２６】
なお、本発明は上記実施形態に限定されるものではない。例えば、上記実施形態では、履物として靴を例示したが、サンダル、草履、足袋、下駄又はスリッパなどの履物にも適用することができる。
【００２７】
図７及び図８は、上記実施形態の靴を履く前の状態と履いた状態とにおける足の外反母趾の変化について、比較検証を行った結果を示すものである。図７は、靴を履く前の足の状態を示す図面代用写真であり、図８は、靴を履いた足の状態を示す図面代用写真であり、この写真の靴は、足を観察し易いように中底のみとしている。
【００２８】
図７の足は、親指が外反した状態、すなわち親指の指先が小指側に反り、親指の付け根部分が「く」の字状に曲がって足幅方向内側（図７の左側）に突出した状態となっていることが分かる。
【００２９】
一方、図８の親指は、図７と比較すると、付け根部分の足幅方向内側への突出が抑制されており、外反母趾の症状が改善していることが分かる。また、図８の親指を除く四指は、図７と比較すると、隣接する各指間の隙間が広がっていることが分かる。特に、中指と薬指との隙間の広がりは、図７における隙間よりもかなり広がっていることが分かる。
【符号の説明】
【００３０】
１      靴（履物）
３      中底
３１      凹部
３２      押付部
３３      持上部
３３ａ    突出部
ｆ１    親指
ｆ１ａ  母趾球
ｆ２    人差し指
ｆ３    中指
ｆ４    薬指
ｆ５    小指
Ｘ      直線
【図１】
0005259682.tif 000002
【図２】
0005259682.tif 000003
【図３】
0005259682.tif 000004
【図４】
0005259682.tif 000005
【図５】
0005259682.tif 000006
【図６】
0005259682.tif 000007
【図７】
0005259682.tif 000008
【図８】
0005259682.tif 000009